【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
電気ヒータによって水を加熱して蓄える温水タンクと、前記電気ヒータへの通電を制御する温度調節器とを外装ケースに収納した貯湯式温水器であって、給水連結管を接続して前記温水タンクへ水を供給し、出湯連結管を接続して前記温水タンク内の湯を出湯先へ供給する貯湯式温水器において、  
前記外装ケースを固定カバーとこの固定カバーに着脱自在な化粧カバーとから構成すると共に、前記化粧カバーの内側に内面カバーを設け、この内面カバーによって前記給水連結管と前記貯湯式温水器の接続部及び前記貯湯式温水器と前記出湯連結管の接続部が突出した状態で前記温度調節器及び前記温水タンクが覆われており、前記化粧カバーにより前記内面カバーと共に前記給水連結管と前記貯湯式温水器の接続部及び前記貯湯式温水器と前記出湯連結管の接続部が覆われており、
前記給水連結管と前記貯湯式温水器の接続部及び前記貯湯式温水器と前記出湯連結管の接続部は、前記内面カバーから突出して設けられており、回転可能なエルボー部材が取付けられており、前記化粧カバーの両側面には、前記給水連結管及び前記出湯連結管を引き回すための切り欠きが形成されていることを特徴とする貯湯式温水器。
【請求項２】
前記給水連結管と前記貯湯式温水器の接続部及び前記貯湯式温水器と前記出湯連結管の接続部の近傍に、前記温水タンクと連通した吸気弁を設け、この吸気弁も前記化粧カバーにより覆われていることを特徴とする請求項１に記載の貯湯式温水器。
【請求項３】
前記貯湯式温水器と出湯先に設けられた出湯水栓とを通信する通信コードの取出し口を前記内面カバーに設け、この通信コードを前記内面カバーと前記化粧カバーとの間を沿わして化粧カバーの外側に導出させていることを特徴とする請求項１又は２に記載の貯湯式温水器。
【請求項４】
前記温水タンクは横断面が楕円形状であり、前記外装ケースは横断面が横長の矩形状であると共に、この外装ケースのコーナー部と対向する温水タンクのコーナー部に温度過昇防止器を設け、前記内面カバーのコーナー部を前記温水タンクのコーナー部と並行になるように斜めに形成し、前記温度過昇防止器のリセットスイッチを内面カバーの外側から操作可能としたことを特徴とする請求項１乃至３何れか一項に記載の貯湯式温水器。
【手続補正２】
【補正対象書類名】明細書
【補正対象項目名】０００５
【補正方法】変更
【補正の内容】
【０００５】
上記目的を達成するために請求項１記載の貯湯式温水器においては、電気ヒータによって水を加熱して蓄える温水タンクと、前記電気ヒータへの通電を制御する温度調節器とを外装ケースに収納した貯湯式温水器であって、給水連結管を接続して前記温水タンクへ水を供給し、出湯連結管を接続して前記温水タンク内の湯を出湯先へ供給する貯湯式温水器において、前記外装ケースを固定カバーとこの固定カバーに着脱自在な化粧カバーとから構成すると共に、前記化粧カバーの内側に内面カバーを設け、この内面カバーによって前記給水連結管と前記貯湯式温水器の接続部及び前記貯湯式温水器と前記出湯連結管の接続部が突出した状態で前記温度調節器及び前記温水タンクが覆われており、前記化粧カバーにより前記内面カバーと共に前記給水連結管と前記貯湯式温水器の接続部及び前記貯湯式温水器と前記出湯連結管の接続部が覆われており、前記給水連結管と前記貯湯式温水器の接続部及び前記貯湯式温水器と前記出湯連結管の接続部は、前記内面カバーから突出して設けられており、回転可能なエルボー部材が取付けられており、前記化粧カバーの両側面には、前記給水連結管及び前記出湯連結管を引き回すための切り欠きが形成されていることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、請求項２記載の貯湯式温水器は、前記給水連結管と前記貯湯式温水器の接続部及び前記貯湯式温水器と前記出湯連結管の接続部の近傍に、前記温水タンクと連通した吸気弁を設け、この吸気弁も前記化粧カバーにより覆われていることを特徴とする。
【手続補正５】
【補正対象書類名】明細書
【補正対象項目名】０００８
【補正方法】変更
【補正の内容】
【０００８】
また、請求項３記載の貯湯式温水器は、前記貯湯式温水器と出湯先に設けられた出湯水栓とを通信する通信コードの取出し口を前記内面カバーに設け、この通信コードを前記内面カバーと前記化粧カバーとの間を沿わして化粧カバーの外側に導出させていることを特徴とする。
【手続補正６】
【補正対象書類名】明細書
【補正対象項目名】０００９
【補正方法】変更
【補正の内容】
【０００９】
また、請求項４記載の貯湯式温水器は、前記温水タンクは横断面が楕円形状であり、前記外装ケースは横断面が横長の矩形状であると共に、この外装ケースのコーナー部と対向する温水タンクのコーナー部に温度過昇防止器を設け、前記内面カバーのコーナー部を前記温水タンクのコーナー部と並行になるように斜めに形成し、前記温度過昇防止器のリセットスイッチを内面カバーの外側から操作可能としたことを特徴とする。
【手続補正７】
【補正対象書類名】明細書
【補正対象項目名】００１０
【補正方法】変更
【補正の内容】
【００１０】
請求項１に記載の発明によれば、施工時やメンテナンス時に給水連結管や出湯連結管を接続したり外したりする際、温度調節器は化粧カバーに覆われた状態となり、温度調節器に誤って触って破損させてしまったりすることがなく、また、接続部が化粧カバーに覆われているため、凹凸が減るため清掃性が向上し、また、意匠性も向上するという効果がある。
【手続補正８】
【補正対象書類名】明細書
【補正対象項目名】００１１
【補正方法】変更
【補正の内容】
【００１１】
また、接続部が左右何れかの側面にある場合は、それに合わせて化粧カバーも２つ準備しておくことが必要であるが、特に上方位置にあると化粧カバーは一つですみ、また、上方位置に出湯先が貯湯式温水器よりの左右何れに位置する場合でも、エルボー部材を回転させることにより給水連結管及び出湯連結管を大きく引き回すことなく接続可能であるという効果がある。  
なお、エルボーにはフィルターが着脱自在に収納されている場合、そのメンテナンス時に、内面カバーにより電装部品が被水することが防げ、貯湯式温水器の故障を防止できるという効果がある。
【手続補正９】
【補正対象書類名】明細書
【補正対象項目名】００１２
【補正方法】変更
【補正の内容】
【００１２】
請求項２に記載の発明によれば、吸気弁は温水タンク内の温水により加熱されて熱くなるが、化粧カバーにより覆われていることにより、温水の利用者が触ることがなく、火傷を防止できるという効果がある。
【手続補正１０】
【補正対象書類名】明細書
【補正対象項目名】００１３
【補正方法】変更
【補正の内容】
【００１３】
請求項３に記載の発明によれば、コード取出し口が化粧カバーに覆われるため、この取出し口から温度調節器が被水することがなく、温度調節器の破損や漏電を防止することができる。また、長さの余った通信コードを化粧カバー内に収納しておくことができ、余った通信コードを使用者が不用意に引っ張って破損してしまうことを防止できるという効果がある。
【手続補正１１】
【補正対象書類名】明細書
【補正対象項目名】００１４
【補正方法】変更
【補正の内容】
【００１４】
請求項４に記載の発明によれば、内面カバーとリセットスイッチまでの距離を短くすることができ、リセットスイッチが操作しやすくリセット作業を容易に行なうことが出来るという効果がある。
【手続補正１２】
【補正対象書類名】明細書
【補正対象項目名】００１６
【補正方法】変更
【補正の内容】
【００１６】
この貯湯式温水器３０の内部構成について、図１に基づき説明する。温水タンク１には、前記温水タンク１内の水を加熱するための電気ヒータ２が取り付けられており、前記温水タンク１に取り付けられた温度調節器３により湯の温度を検出し、所定の温度になると前記電気ヒータ２の通電を制御する。前記温水タンク１が空の状態で前記電気ヒータ２に通電された場合や、前記温度調節器３が故障した場合の安全装置として温度過昇防止器４が前記温度調節器３の下に取りつけられている。そして、これらは外装ケース５に収納さされている。  
図２に示すように、洗面器２５には使用者の手を検知することにより自動で吐水・止水を行なう出湯水栓３１が固定されており、この出湯水栓３１に手を差し出すと、センサー３８により手を検知し、センサーコード３７を介して貯湯式温水器３０の内蔵されたコントローラ２０へ信号が入力される。前記コントローラ２０は出湯電磁弁９を開くよう信号を出力する。前記出湯電磁弁９が開くと、水は止水栓３５より給水連結管３４を通って、貯湯式温水器３０へ供給される。前記貯湯式温水器３０内の給水エルボ６よりフィルター７を介して逆止弁８を通り、前記出湯電磁弁９より給水バイパス管１９とタンク給水管１２に分岐される。前記タンク給水管１２を通った水は前記温水タンク１の底より給水され、この温水タンク１内で加熱されて蓄えられた湯を押し出してタンク出湯管１４より混合バルブ１５へ出湯される。この混合バルブ１５はＳＭＡを内蔵したサーモスタット式ミキシングバルブであり、混合バルブ１５に入った湯は、前記給水バイパス管１９からくる水と混合され、約３６℃の湯になり出湯エルボ１８より出湯され、出湯連結管３６を通って前記出湯水栓３１より湯が出る。  
【手続補正１３】
【補正対象書類名】明細書
【補正対象項目名】００１９
【補正方法】変更
【補正の内容】
【００１９】
図３は本発明の貯湯式温水器３０の化粧カバーをはずした説明図である。この図３に示すように、前記貯湯式温水器３０の外装ケース５は、貯湯式温水器３０が壁面に固定された状態で前面から着脱可能な化粧カバー４０と、前記した温水タンク１等の機能部品が組みつけられ、壁面に固定された断面略Ｌ字状の背面カバー４３と、この背面カバーに固定された天面カバー４２により構成されており、この天面カバー４２と背面カバーとによって、本発明に係わる固定カバーが構成されている。そして、前記化粧カバー４０の内側に内面カバー４１が設けられている。前記化粧カバー４０を取付けると、前記給水エルボ６や前記出湯エルボ１８は隠ぺいされるため、施工する際は、前記化粧カバー４０をはずして前記給水連結管３４や前記出湯連結管３６を接続する。このように、配管の接続部分が前記化粧カバー４０に隠れているため、外装ケース５が汚れた時などは、前記化粧カバー４０や前記天面カバー４２の掃除をすればよく、配管の接続部分の凹凸がないため掃除が容易である。また、いたずらなどにより接続部分をはずされることもない。  
また、前記化粧カバー４０は前記吸気弁１３や前記排水栓１１を隠ぺいしており、温水タンク１内の水抜きをする際は同様に前記化粧カバー４０をはずして実施する。このように、排水する際に取り扱う前記吸気弁１３が前記化粧カバー４０内に隠ぺいされているため、万一前記温水タンク１内が高温になり、その余熱で前記吸気弁１３が高温になっても、通常は使用者が前記吸気弁１３をあやまって触ることはないため、やけどなどの心配がない。
【手続補正１４】
【補正対象書類名】明細書
【補正対象項目名】００２３
【補正方法】変更
【補正の内容】
【００２３】
図６は本発明の貯湯式温水器のセンサーコードを引き回した説明図である。この図６に示すように、前記出湯水栓３１の前記センサーコード３７は施工者によって前記貯湯式温水器３０の前記コントローラ２０と接続される。即ち、貯湯式温水器３０に内蔵されたコントローラ２０は出湯水栓３１の制御も行なうものであり、出湯水栓３１に設けられたセンサー３８の検知信号はセンサーコード３７によってコントローラー２０へと通信される。前記コントローラ２０に接続するために前記内面カバー４１をはずして、コード取り出し口５０より前記センサーコード３７を取り出す。前記センサーコード３７は前記内面カバー４１の凹部を引き回して上部におり、前記化粧カバーの間を通った前記センサーコード３７は外部に引き出される。これによれば、前記コード取出し口５０が前記化粧カバー４０に覆われるため、この取出し口５０から電装部品が被水することがなく、電装部品の破損や漏電を防止することができる。また、長さの余った前記センサーコード３７を前記化粧カバー４０内に収納しておくことができ、余ったコードを使用者が不用意に引っ張って破損してしまうことを防止できる。